(57)【要約】      （修正有）【課題】連結具における構成を簡素化して安価に製造可能とすると共に、新たな付加価値を備える。【解決手段】上方部材２１に取付けた上方側エレクションピースＥ２が挿入される上方側挿入孔２４と、下方部材２２に取付けた下方側エレクションピースＥ１が挿入される下方側挿入孔２５とを上下に配置した本体フレーム２６と、本体フレーム外周に上下動可能に螺合され、その上方への移動によって上方側エレクションピースの下面に当接して支持する固定ナット２７とを備えた連結具２３であって、上方側挿入孔には上方側エレクションピースの左右方向の位置調整を行う左右一対の側部ボルト２８ａ，２８ｂと、固定ナットと相俟って上方側エレクションピースの上下位置を固定する上部ボルト２９とを設け、下方側挿入孔には上部内周面２５ａと相俟って本体フレームに対する下方側エレクションピースの上下位置を固定する下部ボルト３０を設けてなる。【選択図】図１
2011001708.tif 000002
【特許請求の範囲】
【請求項１】
上方部材に取付けた上方側エレクションピースが挿入される上方側挿入孔と、下方部材に取付けた下方側エレクションピースが挿入される下方側挿入孔とを上下に配置した本体フレームと、上記の上方側挿入孔および上記の下方側挿入孔間となる上記の本体フレーム外周に上下動可能に螺合されると共に、その上方への移動によって上記の上方側挿入孔内に挿入された上記の上方側エレクションピースの下面に当接して支持する固定部材とを備えた連結具であって、上記の上方側挿入孔には上記の本体フレームに対する上記の上方側エレクションピースの左右方向の位置調整を行う左右方向位置調整部材と、同じく上記の本体フレームに対して上記の固定部材と相俟って上記の上方側エレクションピースの上下位置を固定する上方側固定部材とを設けると共に、上記の下方側挿入孔にはこの下方側挿入孔の内周面と相俟って上記の本体フレームに対する上記の下方側エレクションピースの上下位置を固定する下方側固定部材を設けたことを特徴とする連結具。
【請求項２】
上記の本体フレームが断面円形状をなす中空パイプ材の上下端に上部蓋体および下部蓋体を夫々溶接等で固定することで形成されており、上部には上記の上方側挿入孔が切欠形成されると共に下部には上記の下方側挿入孔が切欠形成されてなる請求項１記載の連結具。
【請求項３】
上記の固定部材が上記の上方側挿入孔および上記の下方側挿入孔間となる上記の本体フレーム外周に形成されたネジ部に螺合された固定ナットであり、表面に凹凸部が形成されてなる請求項１記載の連結具。
【請求項４】
上記の左右方向位置調整部材が上記の本体フレームの側部から上記の上方側挿入孔内に螺入した左右一対の側部ボルトであり、この左右一対の側部ボルトで上記の上方側エレクションピースを挟持すると共に、これら左右一対の側部ボルトの上記の本体フレームに対する捻じ込み量を調整することで、この本体フレームに対する上記の上方側エレクションピースの左右方向の位置調整をしてなる請求項１記載の連結具。
【請求項５】
上記上方側固定部材が上記の本体フレームの上部から上記の上方側挿入孔に螺合された上部ボルトであり、下面に上記の固定部材が当接した状態の上記の上方側エレクションピースの上面に上記の上部ボルトの先端を当接させることで、この上方側エレクションピースの上記の本体フレームに対する上下位置を固定してなる請求項１記載の連結具。
【請求項６】
上記下方側固定部材が上記の本体フレームの下部から上記の下方側挿入孔に螺合された下部ボルトであり、上端に上記の下方側挿入孔の上部内周面が当接した状態の上記の下方側エレクションピースの下面に対して、上記の下部ボルトの先端を当接させることで、この下方側エレクションピースの上記の本体フレームに対する上下位置を固定してなる請求項１記載の連結具。
【発明の詳細な説明】
【技術分野】
【０００１】
この発明は、連結具に関し、特に、建て入れ調整が終了した上方の柱体を溶接や高張力ボルトの利用で下方の柱体に連結するまでの状態を保持する仮止め具としての連結具の改良に関する。
【背景技術】
【０００２】
上下で複数本となる柱体を利用して建造物を建造する際、すなわち、下方となる既設の柱体に上方となる新たな柱体を連結する建て込みの際には、建て入れ調整と称して上方の柱体における垂直度を調整することが周知されている。
【０００３】
そして、この建て入れ調整が、たとえば、鉄骨製の柱体に対して行われる場合には、柱体が大重量になることから、多くの場合に、建て入れ調整装置が利用されるとしており、それゆえ、この建て入れ調整装置について、従来から種々の提案がある。
【０００４】
その一方で、鉄骨製の柱体を建て込む際の状況をみると、上方の柱体を、たとえば、クレーンなどで吊り下げた状態で下方の柱体の上方に位置決め、この状態で、たとえば、特許文献１に示すところでは、連結具たる接合板を利用して、上方の柱体を下方の柱体に仮止めと称して一時的に連結し、その後の建て入れ調整に際しての上方の柱体における一応の安定状態を得る。
【０００５】
そして、建て入れ調整については、上方の柱体の下端部と下方の柱体の上端部とに掛け渡すようにして連結された建て入れ調整装置の作動により、上方の柱体に対する建て入れ調整の終了後に上下の柱体を、たとえば、溶接によって固定状態に連結し、上方の柱体の建て込みを終了する。
【０００６】
ちなみに、特許文献１に開示されている連結具たる接合板は、上方の柱体の下端部と下方の柱体の上端部とにボルト利用で直接連結されるが、この種の接合板は、上方の柱体の下端部と下方の柱体の上端部とにそれぞれ固定状態に連設されているエレクションピースに同じくボルト利用で連結されることもあり、この場合にも、上記したところと同様のことが言い得る。
【０００７】
しかしながら、上記した特許文献１に開示の連結具にあっては、上方の柱体を下方の柱体に仮止めする、すなわち、一時的に連結する上では問題はないが、上下の柱体を溶接して連結する溶接作業や高張力ボルトの利用で連結する場合の本締めと称される締め付け作業が終了するまでは、建て入れ調整装置を外せない不具合があると指摘される可能性がある。
【０００８】
すなわち、上方の柱体の建て入れ調整に際しては、上方の柱体を垂直にし得るように上方の柱体の上端が揺動可能とされる、言い換えれば、上方の柱体の下端が下方の柱体の上端に対して揺動可能とされることが肝要となる。
【０００９】
そうだとすると、上記した接合板からなる連結具を利用する上下の柱体の仮止め状態にあって、連結具は、上方の柱体に対しては固定状態に連結されるとしても、下方の柱体に対しては固定状態に連結されない、すなわち、接合板と柱体とを貫通するボルトが緩められている状態にある。
【００１０】
したがって、上記した接合板からなる連結具の利用下に建て入れ調整装置を使用して上方の柱体に対する建て入れ調整を終了した時点では、未だ上方の柱体が溶接や高張力ボルトの利用で下方の柱体に固定状態に連結されていないから、上方の柱体に対する建て入れ調整が終了した時点で、建て入れ調整装置は、言わば用済みになっているにも拘わらず、上下の柱体に対する溶接作業や高張力ボルトに対する本締め作業が終了するまでは、これを外せない、すなわち、使い回しできない。
【００１１】
そこで、このような問題点を解決すべく、本願出願人は、特許文献２に示す連結具を提案した。
【００１２】
すなわち、図５および図６に示すように、この連結具は、建て入れ調整装置Ｓの利用で建て入れ調整が終了した上方の柱体Ｐ２を溶接や高張力ボルトの利用で下方の柱体Ｐ１に固定的に連結するまでの状態を保持する仮設具として機能するもので、下方の柱体Ｐ１が上端部に鋼板からなる言わば下方のエレクションピースＥ１を溶接で一体に連設させてなると共に、上方の柱体Ｐ２が下端部に同じく鋼板からなる言わば上方のエレクションピースＥ２を溶接で一体に連設させてなる。
【００１３】
そして、上下のエレクションピースＥ１，Ｅ２は、各柱体Ｐ１，Ｐ２のいわゆる側面にあって、各柱体Ｐ１，Ｐ２の軸線方向に沿うように、いわゆる縦に配在されて、建て入れ調整装置Ｓを着脱可能に連結させる。
【００１４】
それゆえ、上記連結具は、建て入れ調整装置Ｓと並列するように上下のエレクションピースＥ２，Ｅ１に着脱可能に連結され、連結される順番としては、この連結具が先に連結され、その後に、建て入れ調整装置が連結される。
【００１５】
そして、この連結具は、図６に示すように、外側フレーム１と内側フレーム２とを有しており、外側フレーム１が上端側部１１の内側空部１１ａに上方の柱体Ｐ２（図５参照）に連設のエレクションピースＥ２を臨在させると共に、外側フレーム１の下端側部１２の内側空部１２ａに収装される内側フレーム２が下方の柱体Ｐ１（図５参照）に連設のエレクションピースＥ１を内側空部２ａに臨在させる。
【００１６】
また、この連結具にあって、外側フレーム１における上端側部１１の内側空部１１ａに臨在されるエレクションピースＥ２および内側フレーム２の内側空部２ａに臨在されるエレクションピースＥ１は、建て入れ調整装置Ｓが作動するときには、それぞれが臨在される場所に固定状態に定着される。
【００１７】
それゆえ、この連結具にあっては、外側フレーム１が上端側部１１に上方固定ボルト３を有し、下端側部１２にスリーブ４を有し、内側フレーム２がスリーブ４の軸芯部を挿通する下方固定ボルト５を有してなる。
【００１８】
ところで、外側フレーム１は、上端側部１１と下端側部１２との間に、すなわち、図５および図６中で上下方向となる軸線方向のほぼ中央部に両者を画成する隔壁部１３を有してなる。
【００１９】
それゆえ、この隔壁部１３を有することで、外側フレーム１における軸線方向のほぼ中央部における機械的強度を向上させることが可能になり、特に、上方固定ボルト３の螺入で内側空部１１ａにエレクションピースＥ２を固定状態に定着させ、スリーブ４の螺入で内側空部１２ａに内側フレーム２を固定状態に定着させ、さらに、下方固定ボルト５の螺入で内側フレーム２の内側空部２ａにエレクションピースＥ１を固定状態に定着させることが保障される。
【００２０】
また、上記スリーブ４は、回動操作時に外側フレーム１における上下方向となる軸線方向に移動される、すなわち、進退され、螺入操作によって図６中で上昇するように前進して、外側フレーム１の下端側部１２の内側空部１２ａに収装されている内側フレーム２を前記した隔壁部１３に押し付けるように機能し、このとき、内側フレーム２が内側空部１２ａに固定状態に定着される。
【００２１】
そして、上記下方固定ボルト５は、回動操作時に外側フレーム１における上下方向となる軸線方向に、すなわち、内側フレーム２における上下方向となる軸線方向に進退され、内側フレーム２の内側空部２ａにエレクションピースＥ１が臨在されているときの螺入操作によって図６中で上昇するように前進して、エレクションピースＥ１を内側空部２ａに固定状態に定着させる。
【００２２】
以上のように構成された連結具の作用を説明すると、まず、外側フレーム１の上端側部１１の内側空部１１ａに上方の柱体Ｐ２に連設のエレクションピースＥ２を臨在させると共に、外側フレーム１の下端側部１２の内側空部１２ａに収装の内側フレーム２の内側空部２ａに下方の柱体Ｐ１に連設のエレクションピースＥ１を臨在させる。
【００２３】
つぎに、上記の状態下に、上方固定ボルト３を螺入操作して、内側空部１１ａに臨在されているエレクションピースＥ２を図６中で下降させるようにして外側フレーム１の隔壁部１３に押し付け、内側空部１１ａに固定状態に定着させる。
【００２４】
そして、スリーブ４を抜き出すように回動操作して、下端側部１２の内側空部１２ａに収装されている内側フレーム２を図中で下降させ、この内側フレーム２が内側空部２ａに臨在されているエレクションピースＥ１の上端に掛け止められるようにする。
【００２５】
ついで、下方固定ボルト５を螺入操作して、内側フレーム２の内側空部２ａに臨在されているエレクションピースＥ１を内側空部２ａに固定状態に定着させ、この状態で、上記連結具は、上方のエレクションピースＥ２に言わば一体的に連結される一方で、下方のエレクションピースＥ１に対しては、内側フレーム２が下端側部１２の内側空部１２ａで移動可能とされて、言わば自由に、すなわち、移動可能に連結される状態になる。
【００２６】
それゆえ、この状態下に、上下のエレクションピースＥ２，Ｅ１に建て入れ調整装置Ｓを連結し、これを作動すれば、上方のエレクションピースＥ２が昇降するようになって、上下のエレクションピースＥ２，Ｅ１間が広狭される。
【００２７】
そして、上下のエレクションピースＥ１，Ｅ２は、柱体Ｐ１，Ｐ２の側面に設けられているから、この上下のエレクションピースＥ２，Ｅ１間が広狭されるときには、すなわち、上方のエレクションピースＥ２が昇降するときには、上方の柱体Ｐ２が上端を揺動させ、したがって、上方の柱体Ｐ２における垂直度が修正され、上方の柱体Ｐ２が建て入れ調整される。
【００２８】
上記のようにして、上方柱体Ｐ２の建て入れ調整が終了した後は、連結具においてスリーブ４を螺入操作して、下方のエレクションピースＥ１を固定状態に定着させている内側フレーム２が外側フレーム１における下端側部１２の内側空部１２ａで昇降できない、すなわち、移動できないようにして、連結具が上方の柱体Ｐ２を下方の柱体Ｐ１に仮止めした、すなわち、一時的に連結した状態を維持する。
【００２９】
したがって、上記連結具が上方の柱体Ｐ２を下方の柱体Ｐ１に仮止めした状態を維持するから、既に建て入れ調整作業を終了している建て入れ調整装置Ｓは、上下のエレクションピースＥ２，Ｅ１に対する連結状態を解除される、すなわち、上下のエレクションピースＥ２，Ｅ１から撤去されて良いことになる。
【００３０】
そして、連結具によって仮止め状態に維持されている上下の柱体Ｐ２，Ｐ１は、そのままの状態下に、たとえば、溶接によって、あるいは、高張力ボルトを本締めすることで、一体化される建て込みを終了する。
【００３１】
以上のように、この連結具にあっては、上下の柱体Ｐ２，Ｐ１が一体化される前に建て入れ調整装置Ｓの撤去を可能にするから、その建て入れ調整装置Ｓの使い回しを可能にする。
【先行技術文献】
【特許文献】
【００３２】
【特許文献１】特公平６‐８０２７０公報（明細書２頁第４欄第１行から第５行，第１図（Ｂ）参照）
【特許文献２】特開２００７‐２２４６３６公報（明細書中の段落００１６乃至同００５５，図１，図２参照）
【発明の概要】
【発明が解決しようとする課題】
【００３３】
上記した連結具を用いる建て入れ調整作業においては、特に問題がある訳ではないが、近年、連結具自体の構成を簡素化してコストダウンを図ると共に、さらなる付加価値を備えた連結具の提案が要求されている。
【００３４】
そこで、この発明は、このような現状を鑑みて創案されたものであって、そのの目的とするところは、構成を簡素化して安価に製造可能とすると共に、新たな付加価値を備えて、その汎用性の向上を期待するのに最適となるた連結具を提供することである。
【課題を解決するための手段】
【００３５】
上記した目的を達成するために、この発明による連結具の構成を基本的には、上方部材に取付けた上方側エレクションピースが挿入される上方側挿入孔と、下方部材に取付けた下方側エレクションピースが挿入される下方側挿入孔とを上下に配置した本体フレームと、上記の上方側挿入孔および上記の下方側挿入孔間となる上記の本体フレーム外周に上下動可能に螺合されると共に、その上方への移動によって上記の上方側挿入孔内に挿入された上記の上方側エレクションピースの下面に当接して支持する固定部材とを備えた連結具であって、上記の上方側挿入孔には上記の本体フレームに対する上記の上方側エレクションピースの左右方向の位置調整を行う左右方向位置調整部材と、同じく上記の本体フレームに対して上記の固定部材と相俟って上記の上方側エレクションピースの上下位置を固定する上方側固定部材とを設けると共に、上記の下方側挿入孔にはこの下方側挿入孔の内周面と相俟って上記の本体フレームに対する上記の下方側エレクションピースの上下位置を固定する下方側固定部材を設けてなる。
【発明の効果】
【００３６】
それゆえ、この発明の連結具にあっては、本体フレームの外周に螺合させた固定部材と、本体フレームの上方側挿入孔に設けた上方側固定部材とを用いて上方側挿入孔内に挿入された上方側エレクションピースを挟持し、本体フレームに対する上下位置を固定したので、たとえば、従来例に示した外側フレーム内に内側フレームを配置すると共に、内側フレームには外フレームに螺入されたスリーブの軸芯部を挿通する下方固定ボルトを螺入すると言った複雑な構造を用いることなく、上方部材を下方部材に対して仮止めすることができ、その分、構造を簡素化して安価に実施化できる。
【００３７】
また、この発明の連結具にあっては、上記上方側挿入孔には本体フレームに対する上方側エレクションピースの左右方向の位置調整を行う左右方向位置調整部材を設けたので、本体フレームに対する上方側エレクションピースの左右位置が調整可能となり、この発明の連結具は単なる仮止め状態を維持するだけではなく、上方部材をセットしたときの下方部材との芯ずれ修正作業も行うことができる。
【図面の簡単な説明】
【００３８】
【図１】この発明の連結具を建て入れ調整装置と共に上方側エレクションピースと下方側エレクションピースとを掛け渡しながら固定ナットと上部ボルトとで上方側エレクションピースを挟持した状態を示す立面図である。
【図２】図１において、ジャッキ部材を取り外した状態の連結具を示す一部切欠正面図である。
【図３】図１において、ジャッキ部材を取り付ける前の上方側エレクションピースおよび下方側エレクションピースに連結具を取り付ける状態を示す立面図である。
【図４】図１において、本体フレームに下側エレクションピースを固定してジャッキ部材を作動させる状態を示す立面図である。
【図５】従来構造の連結具を建て入れ調整装置と共に上方のエレクションピースと下方のエレクションピースとを掛け渡すように連結した状態を示す立面図である。
【図６】図５中のＹ‐Ｙ線位置で示す連結具の縦断面図である。
【発明を実施するための形態】
【００３９】
以下に、図示した実施形態に基づいて、この発明を説明するが、この発明による連結具は、図示するところでは、建て入れ調整装置と併用されるとし、建て入れ調整装置は、建造物の建造の際における柱の建て方にあって、下方部材である既設の下方の柱体に上方部材である上方の柱体を新たに接合する際に利用される。
【００４０】
図１に示すように、この発明による連結具２３は、上方の柱体２１に溶接固定された上方側エレクションピースＥ２が挿入される上方側挿入孔２４と、下方の柱体２２に溶接固定された下方側エレクションピースＥ１が挿入される下方側挿入孔２５とを上下に配置した本体フレーム２６と、これら上方側および下方側挿入孔２４，２５間となる本体フレーム２６外周に上下動可能に螺合されると共に、その上方への移動によって上方側挿入孔２４内に挿入された上方側エレクションピースＥ２の下面に当接して支持する固定部材とを備えてなる。
【００４１】
そして、この連結具２３にあって、上方側挿入孔２４には本体フレーム２６に対する上方側エレクションピースＥ２の左右方向の位置調整を行う左右方向位置調整部材と、同じく本体フレーム２６に対して上記固定部材と相俟って上方側エレクションピースＥ２の上下位置を固定する上方側固定部材とを設けると共に、下方側挿入孔２５にはこの下方側挿入孔２５の内周面と相俟って本体フレーム２６に対する下方側エレクションピースＥ１の上下位置を固定する下方側固定部材が設けられている。
【００４２】
以下には、この連結具２３と共に使用される建て入れ調整装置と併せてさらに詳述する。
【００４３】
本体フレーム２６は、断面円形状をなす中空パイプ材２６ａの上下端に上部蓋体２６ｂおよび下部蓋体２６ｃをそれぞれ溶接等で固定することで形成されており、上部には上方側挿入孔２４が、下部には下方側挿入孔２５がそれぞれ切欠形成されている。
【００４４】
上方側固定部材は、本体フレーム２６の上部蓋体２６ｂに螺合した上部ボルト２９であり、この捻じ込み量を調整することで下端に上記固定部材が当接した状態の上方側エレクションピースＥ２の上面にこの上部ボルト２９の先端を当接させる、上方側エレクションピースＥ２が本体フレーム２６に対して上方への移動しないよう支持する。
【００４５】
上方側挿入孔２４に設けられた左右方向位置調整部材は、図２に示すように、本体フレーム２６の側部から上方側挿入孔２４内に螺入した左右一対の側部ボルト２８ａ，２８ｂであり、この左右一対の側部ボルト２８ａ，２８ｂで上方側エレクションピースＥ２を挟持すると共に、これら左右一対の側部ボルト２８ａ，２８ｂの本体フレーム２６に対する捻じ込み量を調整することで、本体フレーム２６に対する上方側エレクションピースＥ２の左右方向の位置調整、すなわち、上方の柱体２１をセットしたときの下方の柱体２２との芯ずれを修正し得る。
【００４６】
しかしながら、建て入れ調整作業時には、後述するジャッキ部材３８のロッド体４０の出没動作によって本体フレーム２６の上方側挿入孔２４内に配置された上方側エレクションピースＥ２が上下方向に相対移動しなければならないため、左右一対の側部ボルト２８ａ，２８ｂによる上方側エレクションピースＥ２の挟持力は、建て入れ調整作業時には、この上方側エレクションピースＥ２が相対移動可能となる程度の力に設定されている。
【００４７】
固定部材は、上方側および下方側挿入孔２４，２５間となる本体フレーム２６外周に形成されたねじ部２６ｄに螺合された固定ナット２７であり、表面には操作性を向上させるための凹凸部（符示なし）が形成されている。
【００４８】
また、固定ナット２７は、上記ねじ部２６ｄに沿って上下動可能に螺合されおり、上方への移動によって上方側挿入孔２４の下端側を遮蔽すると共に、固定ナット２７の先端（図１，２における上端を言う）を上方側挿入孔２４内に挿入された上方側エレクションピースＥ２の下面に当接させることで、この上方側エレクションピースＥ２を下方へ移動不能に支持する。
【００４９】
したがって、建て入れ調整作業によって上方側エレクションピースＥ２が所定位置、たとえば、図４に示す位置に押し上げまたは押し下げられた場合、固定ナット２７を回動させてその先端を上方側エレクションピースＥ２の下面に当接させると共に、上部ボルト２９を捻じ込んでその先端を上方側エレクションピースＥ２の上面に当接させることで、図１に示すように、この上方側エレクションピースＥ２を上下方向から挟持して本体フレーム２６に対する上下位置が固定される。
【００５０】
それゆえ、この連結具２３によって上方の柱体Ｐ２を下方の柱体Ｐ１に仮止めした状態が維持でき、既に建て入れ調整作業を終了している建て入れ調整装置は、上方側および下方側エレクションピースＥ２，Ｅ１に対する連結状態を解除される、すなわち、上方側および下方側エレクションピースＥ２，Ｅ１から撤去されて良いことになる。
【００５１】
下方側固定部材は、上記本体フレーム６の下部蓋体２６ｃから下方側挿入孔２５内に螺入された下部ボルト３０であり、この下部ボルト３０の捻じ込み量を調整することで、下部ボルト３０の先端を下方側エレクションピースＥ１の下面に当接させ、下側挿入孔２５の上部側内周面２５ａとの間で下方側エレクションピースＥ１を挟持して上下位置を固定する。
【００５２】
また、下方側挿入孔２５の側面となる本体フレーム２６には、上下一対の側面固定ボルト３２が螺入されており、図２に示すように、側面固定ボルト３２を捻じ込んでその先端を上記下方側エレクションピースＥ１の側面に当接させることで、本体フレーム２６に対する下方側エレクションピースＥ１の左右位置を確実に固定する。
【００５３】
なお、この上下一対の側面固定ボルト３２は、上記した上方の柱体１と下方の柱体２との芯ずれを修正する際に使用すれば良く、この心ずれ修正作業がない場合には、これら一対の側面固定ボルト３２を用いて下方側エレクションピースＥ１を固定する必要は必ずしもない。
【００５４】
上下一対の側面固定ボルト３２と下方側挿入孔２５を挟んで対向する本体フレーム２６の側面には、図２に示すように、取付ピン３３が螺入されており、この取付ピン３３は、その先端が下方側エレクションピースＥ１に穿設された孔部３４を貫通すると共に、反対側の本体フレーム２６の側部に穿設されたフレーム側孔部３５を貫通して外方に露出している。
【００５５】
そして、この取付ピン３３は、本体フレーム２６から下方側エレクションピースＥ１が外れるのを防止する外れ止め作用を発揮すると共に、孔部３４の径よりも取付ピン３３の径を小さく設定することで、図３に示すように、本体フレーム２６を上方側エレクションピースＥ２に取り付ける際の回転中心の役割も果たす。
【００５６】
次に、上方側および下方側エレクションピースＥ２，Ｅ１の先端側に取付けられた建て入れ調整装置について説明すると、この上方側および下方側エレクションピースＥ２，Ｅ１の先端にはそれぞれ上側および下側腕部３６，３７が突出形成されており、これら腕部３６，３７には建て入れ調整装置としてのジャッキ部材３８が取付けられる上側および下側取付孔（符示なし）がそれぞれ穿設されている。
【００５７】
ジャッキ部材３８は、上記一対の上側および下側取付孔間に配置されると共に、図１に示すように、シリンダ体３９と、このシリンダ体３９から出没することで上方側エレクションピースＥ２の上下方向の位置調整を行うロッド体４０とを有するシリンダ本体４１と、このシリンダ本体４１に作動油を供給する作動油供給部（図示なし）とを備え、作動油供給部からの作動油が図示しない供給路を介してシリンダ本体４１に供給される。
【００５８】
そして、上記ジャッキ部材３８は、そのロッド体４０およびシリンダ体３９下部に各々二股状のブラケットＢ１，Ｂ２を有しており、これらのブラケットＢ１，Ｂ２が上側および下側取付孔に対してそれぞれ連結ピンＣで着脱可能に取付けられている。
【００５９】
なお、本実施の形態では、ジャッキ部材３８として、従来例で示した油圧シャッキを示したが、この構成に限定されるものではなく、たとえば、ネジ機構を用いた油圧のジャッキ、電動ジャキ等、任意の構成を選択できる。
【００６０】
以上のように構成されたこの発明の実施例について、その作用を説明すると、先ず、図３に示すように、本体フレーム２６に設けられた下側挿入孔２５内に下方側エレクションピースＥ１を挿入すると共に、本体フレーム２６の側部から下方側エレクションピースＥ１の孔部３４に上記取付ピン３３を挿入し、反対側の本体フレーム２６側部に突出させることで、この本体フレーム２６を下方側エレクションピースＥ１に取付ける。
【００６１】
その後、この取付ピン３３を回転中心として本体フレーム２６を回転（図３における矢印Ｘで示す）させ、上側挿入孔２４内に上方側エレクションピースＥ２を挿入すると共に、図４に示すように、上記下部ボルト３０を捻じ込み、その先端を下方側エレクションピースＥ１の下面に当接させ、この下部ボルト３０の先端と下側挿入孔２５の上側内周面２５ａとの間で下方側エレクションピースＥ１を挟持して固定する。
【００６２】
この状態において、上記ジャッキ部材３８のロッド体４０およびシリンダ体３９下部にそれぞれ設けた二股状のブラケットＢ１，Ｂ２を上方側エレクションピースＥ２の上側取付孔および下方側エレクションピースＥ１の下側取付孔に対してそれぞれ連結ピンＣを用いて取付け、図４に示すように、連結具２３の外側にジャッキ部材３８を着脱可能に連結する。
【００６３】
次いで、このジャッキ部材３８を作動させてロッド体４０を出没させ、このロッド体４０が取付けられた上方側エレクションピースＥ２の本体フレーム２６に対する上下方向の位置調整、すなわち、上方側および下方側エレクションピースＥ２，Ｅ１間が広狭されて建て入れ調整作業が行われる。
【００６４】
その後、上記固定ナット２７を回動させてその先端を上方側エレクションピースＥ２の下面に当接させると同時に、上記上部ボルト２９を回動させてその先端を上方側エレクションピースＥ２の上面に当接させて、図１に示すように、この上方側エレクションピースＥ２を上下方向から挟持して本体フレーム２６に対する上下位置を固定する。
【００６５】
これにより、上記連結具２３が上方の柱体２１を下方の柱体２２に仮止めした、すなわち、一時的に連結した状態を維持するから、既に建て入れ調整作業を終了しているジャッキ部材３８は、上方側および下方側エレクションピースＥ２，Ｅ１に対する連結状態を解除される、すなわち、上方側および下方側エレクションピースＥ２，Ｅ１から撤去されて良いことになる。
【００６６】
なお、必要に応じて、左右一対の側部ボルト２８ａ，２８ｂの本体フレーム２６に対する捻じ込み量を調整し、本体フレーム２６に対する下方側エレクションピースＥ１の左右方向の位置決め固定を行うことで、上方の柱体２１をセットしたときの下方の柱体２２との芯ずれも修正する。
【００６７】
このようにして、上方の柱体２１と下方の柱体２２との相対的な歪みを修正した後、これら上方の柱体２１と下方の柱体２２との接合部を溶接すれば、上方の柱体２１と下方の柱体２２とが歪を修正された状態で接合される。
【００６８】
その後、上記連結具２３を上方側及び下方側エレクションピースＥ２,Ｅ１から取り外し、これら上方側及び下方側エレクションピースＥ２,Ｅ１を上方の柱体２１及び下方の柱体２２と近接した部分において切断し、切断された上方側及び下方側エレクションピースＥ２,Ｅ１を廃棄物として捨てる。
【００６９】
なお、取り外したジャッキ部材３８および連結具２３は、再利用して建て入れ調整作業を行う。
【００７０】
以上、詳述したように、本実施の形態によれば、本体フレーム２６の外周に螺合させた固定ナット２７と、本体フレーム２６の上方側挿入孔２４に設けた上部ボルト２９とを用いて上方側挿入孔２４内に挿入された上方側エレクションピースＥ２を挟持して本体フレーム２６に対する上下位置を固定したので、従来例に示した外側フレーム内に内側フレームを配置すると共に、内側フレームには外フレームに螺入されたスリーブの軸芯部を挿通する下方固定ボルトを螺入すると言った複雑な構造を用いることなく、上方の柱体２１を下方の柱体２２に対して仮止めすることができ、その分、構造を簡素化して安価に実施化できる。
【００７１】
また、上記本体フレーム２６を、断面円形状をなす中空パイプ材２６ａの上下端に上部蓋体２６ｂおよび下部蓋体２６ｃをそれぞれ溶接等で固定して形成したので、本体フレーム２６自体も安価な材料で容易に製造することができる。
【００７２】
また、本体フレーム２６の側部から上側挿入孔２５内に螺入された左右一対の側部ボルト２８ａ，２８ｂで上方側エレクションピースＥ２を挟持するようにしたので、これら左右一対の側部ボルト２８ａ，２８ｂの本体フレーム２６に対する捻じ込み量を調整することで、本体フレーム２６に対する上方側エレクションピースＥ２の左右位置が調整可能となり、本実施例の連結具２３は単なる仮止め状態を維持するだけではなく、上記上方の柱体２１をセットしたときの下方の柱体２２との芯ずれ修正作業も容易に行うことができる。
【００７３】
また、下方側挿入孔２５の側面となる本体フレーム２６に上下一対の側面固定ボルト３２を螺入させると共に、この側面固定ボルト３２を捻じ込んでその先端を上記下方側エレクションピースＥ１の側面に当接させることで、本体フレーム２６に対する下方側エレクションピースＥ１の左右位置を固定するようにしたので、上記芯ずれ修正作業をさらに確実に行うことができる。
【００７４】
また、上下一対の側面固定ボルト３２と下方側挿入孔２５を挟んで対向する本体フレーム２６の側面に取付ピン３３を螺入させると共に、その先端を下方側エレクションピースＥ１に穿設された孔部３４を介して反対側の本体フレーム２６の側部から外方に露出させたので、本体フレーム２６を上方側エレクションピースＥ２に取り付ける際の回転中心の役割も果たすことができる。
【００７５】
したがって、この連結具２３を上方側および下方側エレクションピースＥ２,Ｅ１に取付ける際の作業性を大変向上させることができる。
【産業上の利用可能性】
【００７６】
既設の下方の柱体に上方の柱体を溶接で接合する際における建て入れ調整装置と併用される連結具への具現化に向く。
【符号の説明】
【００７７】
２１  上方部材たる上方の柱体
２２  下方部材たる下方の柱体
２３  連結具
２４  上方側挿入孔
２５  下方側挿入孔
２５ａ  内周面たる上部内周面
２６  本体フレーム
２６ａ  パイプ材
２６ｂ  上部蓋体
２６ｃ  下部蓋体
２６ｄ  ネジ部
２７  固定部材たる固定ナット
２８ａ，２８ｂ  左右方向位置調整部材たる側部ボルト
２９  上方側固定部材たる上部ボルト
３０  下方側固定部材たる下部ボルト
Ｅ１  上方側エレクションピース
Ｅ２  下方側エレクションピース
【図１】
2011001708.tif 000003
【図２】
2011001708.tif 000004
【図３】
2011001708.tif 000005
【図４】
2011001708.tif 000006
【図５】
2011001708.tif 000007
【図６】
2011001708.tif 000008